(57)【要約】【課題】電圧降下を起こす抵抗器を用いずに過電流を検出する。【解決手段】計測器の過電流検出回路１は、電源２から電源供給線路４を介して各負荷に応じた電源が供給され、各負荷に供給される電源の電源種毎に電位差を検出する電位差検出部５と、電位差検出部５にて検出した電源種毎の電位差に基づく電流と、予め設定される電源種毎の設定電流とを比較し、電源種毎の電位差に基づく電流の何れかが対応する設定電流を超えたときに過電流有りと判別する演算処理部７とを備える。【選択図】図１
2017077128.tif 000002
【特許請求の範囲】
【請求項１】
電源（２）から電源供給線路（４）を介して各負荷に応じた電源が供給される計測器の過電流検出回路において、
前記各負荷に供給される電源の電源種毎に電位差を検出する電位差検出部（５）と、
前記電位差検出部にて検出した前記電源種毎の電位差に基づく電流と、予め設定される前記電源種毎の設定電流とを比較し、前記電源種毎の電位差に基づく電流の何れかが対応する前記設定電流を超えたときに過電流有りと判別する演算処理部（７）とを備えたことを特徴とする計測器の過電流検出回路。
【請求項２】
電源（２）から電源供給線路（４）を介して各負荷に応じた電源が供給される計測器の過電流保護回路（１）において、
前記各負荷に供給される電源の電源種毎に電位差を検出する電位差検出部（５）と、
前記電位差検出部にて検出した前記電源種毎の電位差に基づく電流と、予め設定される前記電源種毎の設定電流とを比較し、前記電源種毎の電位差に基づく電流の何れかが対応する前記設定電流を超えたときに、前記各負荷に応じた電源の供給を遮断して過電流から前記各負荷を保護する演算処理部（７）とを備えたことを特徴とする計測器の過電流保護回路。
【請求項３】
前記電源種毎の電位差に基づく電流の何れかが対応する前記設定電流を超えたときに、過電流有りの旨を表示する表示部（８）を備えたことを特徴とする請求項２記載の計測器の過電流保護回路。
【請求項４】
前記電源供給線路（４）は、前記電源（２）に接続されるＡＣ−ＤＣ電源装置（４ａ）と、該ＡＣ−ＤＣ電源装置と前記各負荷との間に接続されるＤＣ−ＤＣ電源回路（４ｂ）とを含むことを特徴とする請求項２記載の計測器の過電流保護回路。
【請求項５】
前記各負荷に供給される電源の電圧を電源種毎に検出する電圧検出部（６）を備えたことを特徴とする請求項１記載の計測器の過電流検出回路。
【請求項６】
電源（２）から電源供給線路（４）を介して各負荷に応じた電源が供給される計測器の過電流検出方法において、
前記各負荷に供給される電源の電源種毎に電位差を検出するステップと、
前記検出した前記電源種毎の電位差に基づく電流と、予め設定される前記電源種毎の設定電流とを比較し、前記電源種毎の電位差に基づく電流の何れかが対応する前記設定電流を超えたときに過電流有りと判別するステップとを含むことを特徴とする計測器の過電流検出方法。
【請求項７】
電源（２）から電源供給線路（４）を介して各負荷に応じた電源が供給される計測器の過電流保護方法において、
前記各負荷に供給される電源の電源種毎に電位差を検出するステップと、
前記検出した前記電源種毎の電位差に基づく電流と、予め設定される前記電源種毎の設定電流とを比較し、前記電源種毎の電位差に基づく電流の何れかが対応する前記設定電流を超えたときに、前記各負荷に応じた電源の供給を遮断して過電流から前記各負荷を保護するステップとを含むことを特徴とする計測器の過電流保護方法。
【請求項８】
前記電源種毎の電位差に基づく電流の何れかが対応する前記設定電流を超えたときに、過電流有りの旨を表示するステップをさらに含むことを特徴とする請求項７記載の計測器の過電流保護方法。
【発明の詳細な説明】
【技術分野】
【０００１】
本発明は、例えば誤り率測定装置、スペクトラムアナライザなどの各種計測器の過電流検出回路及び過電流保護回路と過電流検出方法及び過電流保護方法に関する。
【背景技術】
【０００２】
従来、装置に過電流が流れたことを検出する過電流検出装置としては、例えば下記特許文献１に開示されるものが知られている。
【０００３】
特許文献１に開示される過電流検出装置は、図２に示すように、装置５１に電力を供給する線路５２に抵抗器５３を直列接続し、基準電圧発生手段５４が出力する基準電圧と抵抗器５３の電圧とを比較手段５５にて比較し、抵抗器５３の電圧が基準電圧を越えた時にアラーム信号を発生するものである。
【先行技術文献】
【特許文献】
【０００４】
【特許文献１】特開平０２−１０６１２０号公報
【発明の概要】
【発明が解決しようとする課題】
【０００５】
ところで、近年における計測器（例えば誤り率測定装置、スペクトラムアナライザなど）は、大規模化や高性能化によって機器全体の消費電力が増加する反面、半導体プロセスの発展に伴ってデバイスの駆動電圧が下がってきている。このため、電圧降下の影響が無視できないと状況にある。
【０００６】
このため、上述した特許文献１に開示されるような電圧降下を起こす（シャント）抵抗器５３を用いず、過電流を検出して計測器（装置５１）を過電流から保護することが望まれる。
【０００７】
そこで、本発明は上記問題点に鑑みてなされたものであって、電圧降下を起こす抵抗器を用いずに過電流を検出することができ、また、過電流から計測器を保護することができる計測器の過電流検出回路及び過電流保護回路と過電流検出方法及び過電流保護方法を提供することを目的としている。
【課題を解決するための手段】
【０００８】
上記目的を達成するため、本発明の請求項１に記載された計測器の過電流検出回路は、電源２から電源供給線路４を介して各負荷に応じた電源が供給される計測器の過電流検出回路において、
前記各負荷に供給される電源の電源種毎に電位差を検出する電位差検出部５と、
前記電位差検出部にて検出した前記電源種毎の電位差に基づく電流と、予め設定される前記電源種毎の設定電流とを比較し、前記電源種毎の電位差に基づく電流の何れかが対応する前記設定電流を超えたときに過電流有りと判別する演算処理部７とを備えたことを特徴とする。
【０００９】
請求項２に記載された計測器の過電流保護回路は、電源２から電源供給線路４を介して各負荷に応じた電源が供給される計測器の過電流保護回路１において、
前記各負荷に供給される電源の電源種毎に電位差を検出する電位差検出部５と、
前記電位差検出部にて検出した前記電源種毎の電位差に基づく電流と、予め設定される前記電源種毎の設定電流とを比較し、前記電源種毎の電位差に基づく電流の何れかが対応する前記設定電流を超えたときに、前記各負荷に応じた電源の供給を遮断して過電流から前記各負荷を保護する演算処理部７とを備えたことを特徴とする。
【００１０】
請求項３に記載された計測器の過電流保護回路は、請求項２の計測器の過電流保護回路において、
前記電源種毎の電位差に基づく電流の何れかが対応する前記設定電流を超えたときに、過電流有りの旨を表示する表示部８を備えたことを特徴とする。
【００１１】
請求項４に記載された計測器の過電流保護回路は、請求項２の計測器の過電流保護回路において、
前記電源供給線路４は、前記電源２に接続されるＡＣ−ＤＣ電源装置４ａと、該ＡＣ−ＤＣ電源装置と前記各負荷との間に接続されるＤＣ−ＤＣ電源回路４ｂとを含むことを特徴とする。
【００１２】
請求項５に記載された計測器の過電流検出回路は、請求項１の計測器の過電流検出回路において、
前記各負荷に供給される電源の電圧を電源種毎に検出する電圧検出部６を備えたことを特徴とする。
【００１３】
請求項６に記載された計測器の過電流検出方法は、電源２から電源供給線路４を介して各負荷に応じた電源が供給される計測器の過電流検出方法において、
前記各負荷に供給される電源の電源種毎に電位差を検出するステップと、
前記検出した前記電源種毎の電位差に基づく電流と、予め設定される前記電源種毎の設定電流とを比較し、前記電源種毎の電位差に基づく電流の何れかが対応する前記設定電流を超えたときに過電流有りと判別するステップとを含むことを特徴とする。
【００１４】
請求項７に記載された計測器の過電流保護方法は、電源２から電源供給線路４を介して各負荷に応じた電源が供給される計測器の過電流保護方法において、
前記各負荷に供給される電源の電源種毎に電位差を検出するステップと、
前記検出した前記電源種毎の電位差に基づく電流と、予め設定される前記電源種毎の設定電流とを比較し、前記電源種毎の電位差に基づく電流の何れかが対応する前記設定電流を超えたときに、前記各負荷に応じた電源の供給を遮断して過電流から前記各負荷を保護するステップとを含むことを特徴とする。
【００１５】
請求項８に記載された計測器の過電流保護方法は、請求項７の計測器の過電流保護方法において、
前記電源種毎の電位差に基づく電流の何れかが対応する前記設定電流を超えたときに、過電流有りの旨を表示するステップをさらに含むことを特徴とする。
【発明の効果】
【００１６】
本発明によれば、電源供給線路を電流検出抵抗として利用して負荷電流を検出するので、従来の電圧降下を起こす抵抗器を用いずに過電流を検出することができる。また、過電流を検出したときに、計測器の各負荷に応じた電源の供給を遮断するので、過電流から計測器を保護することができる。
【図面の簡単な説明】
【００１７】
【図１】本発明に係る計測器の過電流検出回路を含む過電流保護回路のブロック図である。
【図２】特許文献１に開示される従来の過電流検出回路の一例を示す図である。
【発明を実施するための形態】
【００１８】
以下、本発明を実施するための形態について、添付した図面を参照しながら詳細に説明する。
【００１９】
本発明は、信号を高速処理するために数十アンペアの大電流が流れ、シャント抵抗が挿入しにくい計測器（例えば誤り率測定装置、スペクトラムアナライザなど）に採用され、線路抵抗の劣化などにより、過負荷やショート（電源の保護回路が働かない状態）が発生して計測器に過電流が流れたことを検出する過電流検出回路及び過電流検出方法と、過電流から計測器を保護する過電流保護回路及び過電流保護方法を提供するものである。
【００２０】
本発明が採用される計測器は、例えばベース基板となるマザーボードに対して、複数の計測モジュールが着脱可能に接続される構成である。本例における計測モジュールは、後述するＡＣ−ＤＣ電源装置４ａを実装した電源モジュール、ＤＣ−ＤＣ電源回路４ｂ、電位差検出部５、電圧検出部６を実装した回路モジュール、演算処理部７を実装した演算モジュール、被測定物（ＤＵＴ）の測定を行う測定部３を実装した測定モジュール、表示部８を実装した表示モジュールなどで構成することができる。計測モジュールは適宜増設が可能であり、被測定物の計測内容に応じて必要な計測モジュールがマザーボードに接続される。
【００２１】
図１に示すように、過電流保護回路１は、電源２と計測器の各負荷（図示の例では、測定部３）との間の電源供給線路４に接続され、電位差検出部５、電圧検出部６、演算処理部７、表示部８を備えて構成される。
【００２２】
尚、図１において、各部を接続する実線は電源供給線を示し、各部を接続する破線は信号線や制御線を示している。また、図１の例では、電位差検出部５と電圧検出部６によって過電流検出回路を構成している。
【００２３】
電源２は、例えば商用電源からなり、ＡＣ１００Ｖの交流電源を電源供給線路４（後述する電源変換部４ＡのＡＣ−ＤＣ電源装置４ａ）に供給する。
【００２４】
測定部３は、電源２から電源供給線路４を介して供給される直流電源を駆動電源として、ユーザの所望する各種測定を行う。例えば誤り率測定装置の測定部３の場合には、被測定物に試験信号（例えばＰＲＢＳパターンなど）を入力したときの誤り率を測定する。
【００２５】
電源供給線路４は、電源２と計測器の測定部３との間、電源２と計測器の周辺回路（電位差検出部５、電圧検出部６、演算処理部７、表示部８を含む）との間を接続するものである。本例の電源供給線路４は、例えば配線、ネジ止め端子、各種コネクタ、バックプレーン、マザーボードなどの他、電源２から供給される電源を必要な駆動電源に変換する電源変換部４Ａも含まれる。電源変換部４Ａは、図１に示すように、電源２に接続されるＡＣ−ＤＣ電源装置４ａと、ＡＣ−ＤＣ電源装置４ａと測定部３との間に接続されるＤＣ−ＤＣ電源回路４ｂから構成される。そして、ＡＣ−ＤＣ電源装置４ａとＤＣ−ＤＣ電源回路４ｂとの間は、例えば配線、ネジ止め端子、コネクタなどを含む電源供給線路４を介して接続される。また、ＤＣ−ＤＣ電源回路４ｂと測定部３との間は、例えば配線、ハードメトリックコネクタ、バックプレーン、マザーボードなどを含む電源供給線路４を介して接続される。
【００２６】
尚、図示はしないが、電源供給線路４は、図１における電位差検出部５、電圧検出部６、演算処理部７、表示部８を含む計測器の周辺回路と電源２との間を接続する線路も含むものである。また、ＡＣ−ＤＣ電源装置４ａとＤＣ−ＤＣ電源回路４ｂとの間を接続する電源供給線路４には、例えば２０〜３０ｃｍの長さで電気抵抗率の小さい線（例えば米国ワイヤゲージ規格：ＡＷＧ１０以下）が用いられる。
【００２７】
ＡＣ−ＤＣ電源装置４ａは、電源２からの交流電源（ＡＣ１００Ｖ）を直流電源（例えば±１２Ｖ）に変換する。ＡＣ−ＤＣ電源装置４ａにて変換された直流電源は、電源供給線路４を介してＤＣ−ＤＣ電源回路４ｂに供給される。
【００２８】
尚、ＡＣ−ＤＣ電源装置４ａにて変換された直流電源の一部は、この直流電源による電源電圧を必要とする負荷に供給される場合もある。また、電源２が直流電源の場合には、電源２からＤＣ−ＤＣ電源回路４ｂに直流電源を供給し、ＡＣ−ＤＣ電源装置４ａの構成を省くことができる。
【００２９】
ＤＣ−ＤＣ電源回路４ｂは、ＡＣ−ＤＣ電源装置４ａから電源供給線路４を介して供給される直流電源を、計測器の各負荷（測定部３の他、電位差検出部５、電圧検出部６、演算処理部７、表示部８を含む周辺回路）毎の電源種に応じた直流電源（例えば±５Ｖ、±３．３Ｖ）に変換する。ＤＣ−ＤＣ電源回路４ｂにて変換された直流電源による電源電圧は、それぞれ対応する負荷に供給される。
【００３０】
そして、本例の過電流保護回路１を採用した計測器では、ＡＣ−ＤＣ電源装置４ａとＤＣ−ＤＣ電源回路４ｂを組み合わせ、配線やコネクタ、バックプレーン、マザーボードなどの電源供給線路４を経由して測定部３や周辺回路に各種電源電圧が供給される。
【００３１】
電位差検出部５は、電源供給線路４上の監視が必要な箇所に設けられ、２つの検出点間における電位差を検出するもので、例えば差動増幅器などで構成することができる。図１の電位差検出部５は、電源供給線路４において、ＡＣ−ＤＣ電源装置４ａの出力側の検出点Ｐ１とＤＣ−ＤＣ電源回路４ｂの入力側の検出点Ｐ２との間の電位差、ＤＣ−ＤＣ電源回路４ｂの出力側の検出点Ｐ３と測定部３の入力側の検出点Ｐ４との間の電位差をそれぞれ検出する。電位差検出部５にて検出された検出点Ｐ１−Ｐ２間の電位差信号と検出点Ｐ３−Ｐ４間の電位差信号は、信号線を介して演算処理部７に入力される。
【００３２】
電圧検出部６は、電源供給線路４上の監視が必要な箇所の電圧を検出するもので、例えばＡ／Ｄ変換器や電圧コンパレータで構成することができる。図１の電圧検出部６は、電源供給線路４において、ＡＣ−ＤＣ電源装置４ａの出力側の検出点Ｐ１の電圧、ＤＣ−ＤＣ電源回路４ｂの入力側の検出点Ｐ２の電圧、ＤＣ−ＤＣ電源回路４ｂの出力側の検出点Ｐ３の電圧、測定部３の入力側の検出点Ｐ４の電圧をそれぞれ検出する。電圧検出部６にて検出された各検出点Ｐ１〜Ｐ４の電圧信号は、信号線を介して演算処理部７に入力される。
【００３３】
尚、特に図示はしないが、電位差検出部５は、図１の接続構成に限定されるものではなく、ＡＣ−ＤＣ電源装置４ａやＤＣ−ＤＣ電源回路４ｂと周辺回路との間における電源供給線路４上の入力側と出力側の検出点間の電位差も検出する。同様に、電圧検出部６は、ＡＣ−ＤＣ電源装置４ａやＤＣ−ＤＣ電源回路４ｂと周辺回路との間における電源供給線路４上の入力側と出力側の検出点の電圧も検出する。
【００３４】
演算処理部７は、例えばＣＰＵ，ＲＡＭ，ＲＯＭ，ＦＰＧＡなどで構成される。演算処理部７は、電位差検出部５からの電位差信号に対し、予め決められた変換係数を掛け合わせて電流値に換算し、換算した電流値と設定電流とを比較し、換算した電流値が設定電流を超えたときに、過電流有り（異常有り）と判断する。そして、演算処理部７は、過電流有りと判断したときに、過電流による異常が有る旨を表示部８にメッセージ表示する。
【００３５】
尚、演算処理部７は、設定電流を超える電流値が設定時間や設定回数を超えたときに、過電流有り（異常有り）と判断し、その旨を表示部８にメッセージ表示するようにしても良い。
【００３６】
また、設定電流、設定時間、設定回数は、それぞれ電源種毎に予め設定されるものである。変換係数は、電圧値を電流値に変換する際の係数であり、電位差や電圧を検出する区間における電源供給線路４の線路抵抗、電位差検出部５や電圧検出部６のゲインのバラツキによって決まる値である。
【００３７】
さらに、演算処理部７は、電圧検出部６から入力される各検出点Ｐ１〜Ｐ４の電圧信号をモニタし、このモニタした各検出点Ｐ１〜Ｐ４の電圧信号の電圧値を表示部８の表示画面上に表示制御する。その際、演算処理部７は、自己診断として、モニタした各検出点Ｐ１〜Ｐ４の電圧値と、予め電源種毎に設定された設定電圧とを比較し、各検出点Ｐ１〜Ｐ４の何れかの電圧値が設定電圧を超えたときに、電圧異常と判断し、その旨を表示部８にメッセージ表示する。
【００３８】
また、演算処理部７は、電源２から計測器の各負荷に電源電圧を供給している際の履歴（電源種毎の過電流の有無、モニタした電圧値の履歴）を逐次記憶保持する。これにより、計測器の各負荷への電源電圧の供給状態、過電流や異常の有無などを、逐次記憶保持された履歴から知ることができる。
【００３９】
表示部８は、例えば液晶表示器などで構成される。表示部８は、演算処理部７による処理結果として、過電流による異常や電圧異常の有無と、モニタした各検出点Ｐ１〜Ｐ４の電圧値とを表示画面上に表示する。具体的には、演算処理部７が過電流有り（異常有り）や電圧異常と判断すると、その旨を表示部８の表示画面上にメッセージ表示して利用者に警告を促す。これに対し、演算処理部７が過電流による異常や電圧異常が無いと判断したときは、計測器の各負荷に電源電圧が正常に供給されている旨を表示部８の表示画面上にメッセージ表示する。これにより、利用者は、計測器を使用する際に、表示部８の表示内容から過電流による異常や電圧異常の有無を知ることができる。また、各検出点Ｐ１〜Ｐ４の電圧値を表示画面上にモニタ表示する。これにより、各検出点Ｐ１〜Ｐ４の電圧をモニタすることができる。
【００４０】
尚、図１では、過電流による異常や電圧異常の有無を表示部８の表示画面上にメッセージ表示して利用者に知らせる構成としたが、この構成に限定されるものではない。例えば表示部８の一部としてＬＥＤランプ（例えば赤色に点灯（点滅）するＬＥＤランプ）を設け、演算処理部７が過電流による異常や電圧異常が有ると判断したときに、ＬＥＤランプを点灯（点滅）するようにしてもよい。また、例えばブザーやスピーカなどの報知部を別途設け、演算処理部７が過電流による異常や電圧異常が有ると判断したときに、その旨を音によって利用者に知らせることもできる。さらに、報知部と表示部８とを併用する構成としてもよい。
【００４１】
次に、上記構成による過電流保護回路（過電流検出回路を含む）１を用いた計測器の過電流検出方法と過電流保護方法について説明する。
【００４２】
電源供給線路４におけるＡＣ−ＤＣ電源装置４ａは、電源２から交流電源が供給されると、その交流電源を直流電源に変換し、電源供給線路４を介してＤＣ−ＤＣ電源回路４ｂに出力する。ＤＣ−ＤＣ電源回路４ｂは、ＡＣ−ＤＣ電源装置４ａから入力される直流電源を、各負荷の電源種に応じた直流電源に変換する。そして、ＤＣ−ＤＣ電源回路４ｂにて変換された各負荷の電源種に応じた直流電源は、電源供給線路４を介して対応する負荷に供給される。図１の例では、負荷の一例として測定部３を示しており、ＤＣ−ＤＣ電源回路４ｂから電源供給線路４を介して測定部３の電源種に応じた直流電源が測定部３に供給される。
【００４３】
上記のように、各負荷の電源種に応じた直流電流が供給されている状態で、電位差検出部５は、電源供給線路４におけるＡＣ−ＤＣ電源装置４ａの出力側の検出点Ｐ１とＤＣ−ＤＣ電源回路４ｂの入力側の検出点Ｐ２との間の電位差、ＤＣ−ＤＣ電源回路４ｂの出力側の検出点Ｐ３と測定部３の入力側の検出点Ｐ４との間の電位差をそれぞれ検出する。同様に、電位差検出部５は、ＡＣ−ＤＣ電源装置４ａやＤＣ−ＤＣ電源回路４ｂと周辺回路との間における電源供給線路４上の入力側と出力側の検出点間の電位差も検出する。
【００４４】
また、電圧検出部６は、電位差検出部５による電位差の検出に並行して、電源供給線路４におけるＡＣ−ＤＣ電源装置４ａの出力側の検出点Ｐ１の電圧、ＤＣ−ＤＣ電源回路４ｂの入力側の検出点Ｐ２の電圧、ＤＣ−ＤＣ電源回路４ｂの出力側の検出点Ｐ３の電圧、測定部３の入力側の検出点Ｐ４の電圧をそれぞれ検出する。同様に、電圧検出部６は、ＡＣ−ＤＣ電源装置４ａやＤＣ−ＤＣ電源回路４ｂと周辺回路との間における電源供給線路４上の入力側と出力側の検出点の電圧も検出する。
【００４５】
演算処理部７は、電位差検出部５から入力される各検出点間の電位差信号のそれぞれに対し変換係数を掛け合わせて電流値に換算し、換算した電流値と設定電流とを比較し、換算した何れかの電流値が設定電流を超えたときに、過電流有り（異常有り）と判断して表示部８にメッセージ表示する。尚、演算処理部７は、設定電流を超える電流値が設定時間や設定回数を超えたときに、過電流有り（異常有り）と判断して表示部８にメッセージ表示しても良い。そして、演算処理部７は、設定電流を超える電流値が設定時間や設定回数を超えると、ＡＣ−ＤＣ電源装置４ａの出力を断に切り替え、計測器の測定部３を含む各負荷を過電流から保護する。
【００４６】
また、演算処理部７は、電圧検出部６から入力される各検出点の電圧信号をモニタし、このモニタした各検出点の電圧信号の電圧値を表示部８にモニタ表示する。その際、演算処理部７は、モニタした各検出点の電圧値と、予め電源種毎に設定された設定電圧とを比較し、各検出点の何れかの電圧値が設定電圧を超えたときに、電圧異常と判断し、その旨を表示部８にメッセージ表示する。
【００４７】
このように、本例の過電流保護回路１では、電源２の電源出力の直後と計測器の各負荷（図１では、測定部３のみを図示）直前との電位差を、各負荷に供給される電源の電源種毎に電位差検出部５にて検出する。そして、演算処理部７では、電位差検出部５にて検出した電源種毎の電位差に基づく電流と電源種毎の設定電流とを比較し、電源種毎の電位差に基づく電流の何れかが対応する設定電流を超えたときに過電流による異常有りと判別する。そして、過電流による異常有りと判別したときには、過電流による異常が有る旨を表示部８にメッセージ表示して利用者に警告を促す。さらに、過電流による異常が有るとき、又は過電流による異常の状態が設定時間や設定回数を超えた場合には、ＡＣ−ＤＣ電源装置４ａの出力を断にし、計測器の各負荷を過電流から保護する。
【００４８】
これにより、従来のような電圧降下を起こす抵抗器を用いず、配線やコネクタ、バックプレーン、マザーボードなどの電源供給線路４に残留する線路抵抗を電流検出抵抗として利用することにより、負荷電流を容易に測定することができる。特に、数十アンペアの大電流が流れる箇所の負荷電流の測定や電圧降下が問題となる低電圧の電流測定に有利な回路を構築することができる。
【００４９】
また、電源供給線路４における複数の検出点Ｐ１〜Ｐ４における電圧を電圧検出部６にて検出し、複数の検出点Ｐ１〜Ｐ４の電圧を常時モニタするので、副次的効果として、電源供給線路４における線路抵抗の異常の有無を検出することができる。
【００５０】
さらに、電源供給線路４による残留線路抵抗を利用して計測器の各負荷に流れる電流を検出するので、線路抵抗のバラツキによる電流測定確度はあまり良くないが、容易かつ安価に実現することができる。その際、線路抵抗のバラツキは、演算処理部７にて負荷電流の演算時に補正すれば、測定確度の向上を図ることができる。
【００５１】
以上、本発明に係る計測器の過電流保護回路及び過電流保護方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００５２】
１  過電流保護回路
２  電源
３  測定部
４  電源供給線路
４Ａ  電源変換部
４ａ  ＡＣ−ＤＣ電源装置
４ｂ  ＤＣ−ＤＣ電源回路
５  電位差検出部
６  電圧検出部
７  演算処理部
８  表示部
９  過電流検出回路
５１  装置
５２  線路
５３  抵抗器
５４  基準電圧発生手段
５５  比較手段
Ｐ１，Ｐ２，Ｐ３，Ｐ４  検出点
【図１】
2017077128.tif 000003
【図２】
2017077128.tif 000004